(57)【特許請求の範囲】
【請求項１】
第一の周波数バンドにおける第一の発振信号又は前記第一のバンドよりも周波数が二倍高い第二の周波数バンドにおける第二の発振信号を出力する発振部と、前記第一の発振信号又は前記第二の発振信号を増幅する増幅トランジスタとを備え、前記増幅トランジスタのコレクタに一端が接続された並列共振回路と、前記並列共振回路の他端と高周波的な接地点との間に接続された第一のインダクタとを設け、前記並列共振回路の他端から前記第一の発振信号を出力すると共に、前記増幅トランジスタのコレクタから前記第二の発振信号を出力し、前記並列共振回路の共振周波数を前記第二の周波数バンドの周波数とほぼ同じになるように設定し、前記並列共振回路と前記第一のインダクタとによる直列共振周波数を前記第二の周波数バンドの二倍の周波数とほぼ同じになるように設定したことを特徴とする２バンド発振装置。
【請求項２】
前記並列共振回路は第二のインダクタと前記第二のインダクタに並列接続されたコンデンサとからなり、前記高周波的な接地点を、前記増幅トランジスタのコレクタに電源電圧を供給するための電圧供給端としたことを特徴とする請求項１記載の２バンド発振装置。
【発明の詳細な説明】
【０００１】
【発明の属する技術分野】
本発明は、二つの周波数バンドで発振する発振信号を増幅して出力する２バンド発振装置に関する。
【０００２】
【従来の技術】
従来の２バンド発振装置を図６によって説明する。発振部２１は二つの発振回路２１ａ、２１ｂを有し、それぞれ異なる周波数バンドで発振するようになっている。例えば、第一の発振回路２１ａは９００ＭＨｚを中心とした８５０ＭＨｚ〜９５０ＭＨｚで発振し、第二の発振回路２１ｂは１．８ＧＨｚを中心として１．７ＧＨｚ〜１．９ＧＨｚで発振する。これら発振回路２１ａ、２１ｂは使用目的によっていずれか一方が発振し、その発振信号はバッファ部２２の増幅回路２２ａで増幅される。
【０００３】
バッファ部２２は二つの出力端子２２ｂ、２２ｃを有し、第一の出力端子２２ｂと増幅回路２２ａの出力端とが第一の抵抗２２ｄによって接続され、第二の出力端子２２ｃと増幅回路２２ａの出力端とが第二の抵抗２２ｅによって接続される。そして、第一の出力端２２ｂには９００ＭＨｚ帯の発振信号を使用する回路（図示せず）が接続され、第二の出力端子２２ｃには１．８ＧＨｚ帯の発振信号を使用する回路（図示せず）が接続されるようになっている。
【０００４】
【発明が解決しようとする課題】
上記の構成では、第一の出力端子と第二の出力端子とは分配用の二つの抵抗によって接続されているので、いずれの出力端子にも同じ発振信号が出力される。そのため、出力レベルが低下すると共に、増幅器が広帯域であるために互いの二次高調波レベルが大きくなるという問題があった。
【０００５】
そこで、本発明の２バンド発振装置においては、出力端子間のアイソレーションを高めて一方の出力端子からは一方の発振信号のみを有効に取りだし、他方の出力端子からは他方の発振信号のみを有効に取り出すことを目的としている。
【０００６】
【課題を解決するための手段】
上記の課題を解決する手段として、本発明の２バンド発振装置では、第一の周波数バンドにおける第一の発振信号又は前記第一のバンドよりも周波数が二倍高い第二の周波数バンドにおける第二の発振信号を出力する発振部と、前記第一の発振信号又は前記第二の発振信号を増幅する増幅トランジスタとを備え、前記増幅トランジスタのコレクタに一端が接続された並列共振回路と、前記並列共振回路の他端と高周波的な接地点との間に接続された第一のインダクタとを設け、前記並列共振回路の他端から前記第一の発振信号を出力すると共に、前記増幅トランジスタのコレクタから前記第二の発振信号を出力し、前記並列共振回路の共振周波数を前記第二の周波数バンドの周波数とほぼ同じになるように設定し、前記並列共振回路と前記第一のインダクタとによる直列共振周波数を前記第二の周波数バンドの二倍の周波数とほぼ同じになるように設定した。
【０００８】
また、本発明の２バンド発振装置は、前記並列共振回路は第二のインダクタと前記第二のインダクタに並列接続されたコンデンサとからなり、前記高周波的な接地点を、前記増幅トランジスタのコレクタに電源電圧を供給するための電圧供給端とした。
【０００９】
【発明の実施の形態】
以下図面に従って本発明の２バンド発振装置を説明する。図１は本発明の２バンド発振装置の構成を示し、図２は本発明の２バンド発振装置における第一の等価回路を示し、図３は図２の伝送特性を示し、図４は本発明の２バンド発振装置における第二の等価回路を示し、図５は図４の伝送特性を示す。
【００１０】
先ず図１において、発振部１は第一の発振回路１ａと第二の発振回路１ｂを有し、それぞれ異なる周波数バンドで発振するようになっている。例えば、第一の発振回路１ａは第一の周波数バンドである８５０ＭＨｚ〜９５０ＭＨｚで発振し、第二の発振回路１ｂはそれよりも周波数が高い第二の周波数バンドである１．７ＧＨｚ〜１．９ＧＨｚで発振する。これら発振回路１ａ、１ｂは使用目的によっていずれか一方が発振し、発振した方の発振信号は切替手段１ｃによってバッファ部２の増幅トランジスタ３のベースに入力される。
【００１１】
なお、発振部１には二つの発振回路を備えることなく、一個の発振回路だけを用いて二つの周波数バンドに切り替えて発振させるようにしてもよい。
【００１２】
増幅トランジスタ３はエミッタ接地型の増幅回路として動作し、そのコレクタには第二のインダクタ４ａとコンデンサ４ｂとからなる並列共振回路４の一端が接続され、その他端には第一のインダクタ５の一端が接続され、さらに、第一のインダクタ５の他端は電圧供給端６に接続される。そして、電圧供給端６に印加された電圧が第一のインダクタ５及び第二のインダクタ４ａを介して増幅トランジスタ３のコレクタに供給される。電圧供給端６は高周波的な接地点であり、直流カットコンデンサ７によってグランドに接地される。また、第一のインダクタ５、第二のインダクタ４ａはプリント基板（図示せず）上に形成したマイクロストリップライン等によって構成されるが、デスクリートのコイルによって構成してもよい。
【００１３】
ここで、並列共振回路４はその共振周波数（Ｆｐ）が第二の周波数バンドのほぼ中心の周波数に一致するように設定されている。また、並列共振回路４と第一のインダクタ５とが直列に接続されていることから、並列共振回路４と第一のインダクタ５とによって等価的な直列共振回路が構成される。そして、その直列共振周波数（Ｆｓ）は並列共振周波数（Ｆｐ）の二倍の周波数（従って、第二の周波数バンドのほぼ中心の周波数の二倍）に一致するように設定されている。
【００１４】
また、バッファ部２は二つの出力端子２ａ、２ｂを有し、第一の出力端子２ａは直流カットコンデンサ８を介して並列共振回路４の他端（即ち、並列共振回路４と第一のインダクタ５との接続点）に接続され、第二の出力端子２ｂは直流カットコンデンサ９を介して増幅トランジスタ３のコレクタに接続される。
【００１５】
以上の構成において、第一の発振回路１ａが動作して第一の周波数バンドにおける第一の発振信号が増幅トランジスタ３のベースに入力されると、増幅された第一の発振信号が第一の出力端子２ａから出力されるが、図１に示す第一の発振回路１ａと増幅トランジスタ３とが信号源と考えられるので、この場合の第一の等価回路は図２のように表される。
【００１６】
図２における信号源１０の内部インピーダンス１０ａは増幅トランジスタ３の出力インピーダンスである。そして、並列共振回路４の共振周波数がＦｐであるから、第一の出力端子２ａにおける伝送特性は図３のように示され、第一の周波数バンドにおける第一の発振信号の周波数（Ｆ１）のレベルは、ほぼ第一のインダクタ５と第二のインダクタ４ａとによる分割比で出力される。また、並列共振回路４の共振周波数Ｆｐでは減衰する特性となる。
従って、並列共振回路４の減衰特性によって第一の周波数バンドの二倍の周波数においても減衰するので、増幅トランジスタ３が発生する第一の発振信号の二次高調波を除去することが出来る。
【００１７】
一方、第二の発振回路１ｂが動作して第二の周波数バンドにおける第二の発振信号が増幅トランジスタ３のベースに入力されると、増幅された第二の発振信号が第二の出力端子２ｂから出力されるが、この場合の第二の等価回路は図４のように表される。また、列共振回路４の共振周波数（Ｆｐ）が第二の周波数バンド内にあり、さらに、並列共振回路４と第一のインダクタ５とによる直列共振周波数（Ｆｓ）が第二の周波数バンドの周波数の二倍となっているので、第二の出力端子２ｂにおける伝送特性は図５のようになる。
【００１８】
従って、第二の発振信号は減衰することなく出力することが出来、また、増幅トランジスタ３が発生する二次高調波を除去することが出来る。
【００１９】
なお、第二の周波数バンドの周波数が第一の周波数バンドの周波数の二倍となっているので、並列共振回路の共振周波数（Ｆｐ）が第一の発振信号の周波数の二倍となり、第一の出力端子２ａから第一の発振信号を出力する際には、第一の発振信号の二次高調波を効果的に除去できる。
【００２０】
【発明の効果】
以上のように、本発明の２バンド発振装置は、第一の周波数バンドにおける第一の発振信号又は前記第一のバンドよりも周波数が二倍高い第二の周波数バンドにおける第二の発振信号を増幅する増幅トランジスタとを備え、増幅トランジスタのコレクタに一端が接続された並列共振回路と、並列共振回路の他端と高周波的な接地点との間に接続された第一のインダクタとを設け、並列共振回路の他端から第一の発振信号を出力すると共に、増幅トランジスタのコレクタから第二の発振信号を出力し、並列共振回路の共振周波数を第二の周波数バンドの周波数とほぼ同じになるように設定し、並列共振回路と第一のインダクタとによる直列共振周波数を第二の周波数バンドの二倍の周波数とほぼ同じになるように設定したたので、第一の出力端子から第一の発振信号を出力するときには並列共振回路によってその二次高調波を除去でき、また、第二の出力端子からは第二の発振信号を減衰することなく出力することが出来る。この際に第二の発振信号の二次高調波は直列共振周波数に一致するので減衰される。また、第一の出力端子と第二の出力端との間には並列共振回路が設けられているので、二つの端子間の結合を粗とすることが出来る。
【００２２】
また、本発明の２バンド発振装置は、並列共振回路を第二のインダクタとコンデンサとで構成し、高周波的な接地点を、増幅トランジスタのコレクタに電源電圧を供給するための電圧供給端としたことで、電圧供給端に印加した電圧を第一のインダクタと第二のインダクタを利用して増幅トランジスタのコレクタに供給できるので、回路構成が簡単になる。
【図面の簡単な説明】
【図１】本発明の２バンド発振装置の構成を示す回路図である。
【図２】本発明の２バンド発振装置における第一の等価回路図である。
【図３】本発明の第一の等価回路における伝送特性図である。
【図４】本発明の２バンド発振装置における第二の等価回路図である。
【図５】本発明の第二の等価回路における伝送特性図である。
【図６】従来の２バンド発振装置の構成を示す回路図である。
【符号の説明】
１  発振部
１ａ  第一の発振回路
１ｂ  第二の発振回路
１ｃ  切替手段
２  バッファ部
２ａ  第一の出力端子
２ｂ  第二の出力端子
３  増幅トランジスタ
４  並列共振回路
４ａ  第二のインダクタ
４ｂ  コンデンサ
５  第一のインダクタ
６  電圧供給端
７  直流カットコンデンサ
８、９  コンデンサ
１０  信号源
１０ａ  内部インピーダンス
【図１】
0003653430.tif 000002
【図２】
0003653430.tif 000003
【図３】
0003653430.tif 000004
【図４】
0003653430.tif 000005
【図５】
0003653430.tif 000006
【図６】
0003653430.tif 000007